(57)【要約】  光伝送システムにおける信号伝送品質を向上させる目的を実現するために、光中継装置１は、波長単位での経路切り替えおよび波長ごとの光レベル調整が可能な波長選択スイッチとしてのＷＳＳ１０と、ＷＳＳ１０から出力される光信号の波長ごとの光レベルの変動量と光信号の各波長の光レベル調整が有効か否かを波長ごとに示す設定情報とに基づいて、ＷＳＳ１０に対して光信号の光レベル調整量の設定変更を指示する制御装置３０と、を備える。
2017109830.tif 000002
【特許請求の範囲】
【請求項１】
波長単位での経路切り替えおよび波長ごとの光レベル調整が可能な波長選択スイッチと、
前記波長選択スイッチから出力される光信号の波長ごとの光レベルの変動量と前記光信号の各波長の光レベル調整が有効か否かを波長ごとに示す設定情報とに基づいて、前記波長選択スイッチに対して前記光信号の光レベル調整量の設定変更を指示する制御装置と、
を備えることを特徴とする光中継装置。
【請求項２】
前記制御装置は、
前記波長選択スイッチから出力される各波長の光レベルが変動したか否かを波長ごとに判定する光レベル変動検出部と、
前記設定情報を保持する制御対象波長管理部と、
前記光レベル変動検出部による判定結果および前記設定情報に基づいて、光レベル調整が必要か否かを波長ごとに判定する調整実施判定部と、
前記調整実施判定部により光レベル調整が必要と判定された波長の前記光レベル調整量を決定するレベル調整量決定部と、
前記レベル調整量決定部で決定された前記光レベル調整量に基づく各波長の透過率を前記波長選択スイッチに通知し、前記波長選択スイッチが前記光信号を出力する際の光レベル調整量の設定変更を指示する波長選択スイッチ制御部と、
を備えることを特徴とする請求項１に記載の光中継装置。
【請求項３】
前記調整実施判定部は、前記設定情報が光レベル調整有効を示している波長の光レベル変動が前記光レベル変動検出部で検出されると当該波長の光レベル変動が必要と判定することを特徴とする請求項２に記載の光中継装置。
【請求項４】
前記制御対象波長管理部は、外部の作業端末から前記設定情報を取得して保持することを特徴とする請求項２または３に記載の光中継装置。
【請求項５】
前記制御対象波長管理部は、他の光中継装置で光レベル調整が実施されている波長の情報を前記他の光中継装置から取得し、取得した情報に基づいて前記設定情報を生成して保持することを特徴とする請求項２または３に記載の光中継装置。
【請求項６】
前記制御対象波長管理部は、前記波長選択スイッチで光レベル調整を実施している波長の情報を前記波長選択スイッチから出力される光信号の送信先の他の光中継装置へ送信することを特徴とする請求項５に記載の光中継装置。
【請求項７】
他の光中継装置から出力された光信号が入力される入力ポートを複数備え、
前記制御対象波長管理部は、前記複数の入力ポートの各々に接続された他の光中継装置で光レベル調整が実施されている波長の情報を前記複数の入力ポートの各々に接続された前記他の光中継装置の各々から取得し、取得した情報に基づいて前記設定情報を生成して保持することを特徴とする請求項２に記載の光中継装置。
【請求項８】
波長単位での経路切り替えおよび波長ごとの光レベル調整が可能な波長選択スイッチの制御方法であって、
前記波長選択スイッチから出力される各波長の光レベルが変動したか否かを波長ごとに判定する光レベル変動判定ステップと、
前記波長選択スイッチから出力される光信号の各波長の光レベル調整が有効か否かを波長ごとに示す設定情報と、前記光レベル変動判定ステップにおける判定結果とに基づいて、光レベル調整が必要か否かを波長ごとに判定する調整実施判定ステップと、
前記調整実施判定ステップで光レベル調整が必要と判定した波長の光レベル調整量を決定するレベル調整量決定ステップと、
前記レベル調整量決定ステップで決定した光レベル調整量に基づく各波長の透過率を前記波長選択スイッチに通知して、前記波長選択スイッチが前記光信号を出力する際の光レベル調整量の設定変更を指示する指示ステップと、
を含むことを特徴とする制御方法。
【請求項９】
請求項１から４のいずれか一つに記載の光中継装置を１台以上備えて構成されたことを特徴とする光伝送システム。
【請求項１０】
請求項５から７いずれか一つに記載の光中継装置を２台以上備え、かつ当該２台以上の光中継装置の間で前記設定情報を送受信可能に構成されたことを特徴とする光伝送システム。
【発明の詳細な説明】
【技術分野】
【０００１】
本発明は、波長多重された光信号を中継する光中継装置、制御方法および光伝送システムに関する。
【背景技術】
【０００２】
情報通信の大容量化は、波長多重光伝送システムにより実現されてきた。波長多重光伝送システムはＷＤＭ（Wavelength  Division  Multiplexing）システムとも呼ばれる。近年では、スマートフォンをはじめとした通信端末の高性能化に伴い１台の端末が送受信する情報の容量も増大してきており、情報通信の更なる大容量化が求められている。また、通信経路および通信装置に対する信頼性の向上を実現することを目的として、需要に合わせてネットワーク構成を最適化するネットワーク柔軟性の要求が高まっている。これらの要求に対応するため、非特許文献１で規定されているフレキシブルグリッド（Flexible  Grid）に対応した多方路ＷＤＭシステムが実用化されている。フレキシブルグリッドに対応した多方路ＷＤＭシステムでは、各波長の帯域幅を変更することができる。【０００３】
また、ＷＤＭシステムでは、波長ごとの光レベルを規定値に調整する機能により光伝送特性が劣化するのを防止している。この機能は、例えば動的利得制御とも呼ばれる。従来のＷＤＭシステムの一例として、特許文献１には、受信端での信号特性が最適となるよう、送信側の光レベルを波長毎に調整するＷＤＭ光伝送システムが記載されている。【０００４】
レベル変動による影響としては、光レベルが上昇した場合には非線形現象の影響が増加し、光レベルが低下した場合にはＯＳＮＲ（Optical  Signal  to  Noise  Ratio）が劣化する。これらが信号特性を悪化させ、信号特性劣化により伝送距離が短くなる。
【先行技術文献】
【特許文献】
【０００５】
【特許文献１】特許第５６３３２６６号公報
【非特許文献】
【０００６】
【非特許文献１】ＩＴＵ−Ｔ  Ｇ．６９４．１
【発明の概要】
【発明が解決しようとする課題】
【０００７】
フレキシブルグリッドに対応した多方路ＷＤＭシステムでは、波長単位での経路切替が可能な波長選択スイッチ（ＷＳＳ：Wavelength  Selective  Switch）を用いるのが一般的である。ＷＳＳは、入力された光信号の経路を切り替える機能に加えて、波長の合波および分波を行う機能と、各波長が出力ポートを透過する際に波長ごとに設定されている透過率で各波長の光レベルを個別に減衰させる機能とを有している。ＷＳＳを備えた多方路ＷＤＭシステムにおける動的利得制御では、ＷＳＳが各波長の光レベルを個別に減衰させる機能を使用して各波長の光レベルが揃うように制御する。ここで、上述したように、多方路ＷＤＭシステムを含むＷＤＭシステムにおいては、光レベルの変動が生じた場合、信号特性が悪化し、信号伝送品質が劣化する。信号伝送品質が劣化した状態が長く続くのは好ましくないため、光レベルの変動が発生してから規定の光レベルに戻るまでの所要時間、すなわち各波長の光レベルを調整して規定の光レベルに戻す動作の所要時間の短縮化の実現が望まれる。光レベルの変動が発生した場合に光レベルが変動した波長を規定の光レベルに戻すまでの所要時間が短縮されるとシステム全体としての信号伝送品質が向上する。【０００８】
本発明は、上記に鑑みてなされたものであって、光レベル変動を検出してから光レベルの調整が完了するまでの所要時間を短縮化して光伝送システムにおける信号伝送品質を向上させることが可能な光中継装置を得ることを目的とする。
【課題を解決するための手段】
【０００９】
上述した課題を解決し、目的を達成するために、本発明にかかる光中継装置は、波長単位での経路切り替えおよび波長ごとの光レベル調整が可能な波長選択スイッチを備える。また、光中継装置は、波長選択スイッチから出力される光信号の波長ごとの光レベルの変動量と光信号の各波長の光レベル調整が有効か否かを波長ごとに示す設定情報とに基づいて、波長選択スイッチに対して光信号の光レベル調整量の設定変更を指示する制御装置を備える。
【発明の効果】
【００１０】
本発明にかかる光中継装置は、光レベル変動を検出してから光レベルの調整が完了するまでの所要時間を短縮化して光伝送システムにおける信号伝送品質を向上させることができる、という効果を奏する。
【図面の簡単な説明】
【００１１】
【図１】本発明の実施の形態１にかかる光中継装置の構成例を示す図
【図２】制御装置を実現する処理回路の一例を示す図
【図３】実施の形態１にかかる制御装置による動的利得制御の一例を示すフローチャート
【図４】実施の形態２にかかる光中継装置の構成例を示す図
【図５】実施の形態２にかかる光中継装置を複数接続して形成された光伝送システムの構成例を示す図
【図６】ＯＳＣ光とサービス波長との関係の一例を示す図
【図７】実施の形態３にかかる光中継装置を複数接続して形成された光伝送システムの構成例を示す図
【発明を実施するための形態】
【００１２】
以下に、本発明の実施の形態にかかる光中継装置、制御方法および光伝送システムを図面に基づいて詳細に説明する。なお、この実施の形態によりこの発明が限定されるものではない。
【００１３】
実施の形態１．
図１は、本発明の実施の形態１にかかる光中継装置の構成例を示す図である。本実施の形態にかかる光中継装置１は、波長選択スイッチであるＷＳＳ１０と、光チャネルモニタであるＯＣＭ（Optical  Channel  Monitor）２０と、ＷＳＳ１０およびＯＣＭ２０を制御する制御装置３０とを備える。光中継装置１は波長多重光伝送システムに適用され、フレキシブルグリッドに対応した多方路ＷＤＭシステムを実現することが可能である。また、光中継装置１は、４つの入力ポート（Ｐｏｒｔ＃Ｉｎ１〜Ｐｏｒｔ＃Ｉｎ４）および１つの出力ポート（Ｐｏｒｔ＃Ｏｕｔ）を有している。
【００１４】
図１に示したＷＳＳ１０は、４ポートの波長選択スイッチであり、波長多重数を最大８０波長としている。ＷＳＳ１０は、波長とポートの関係を任意に変更でき、各ポートを透過させる波長も任意に変更できる。また、ＷＳＳ１０は、各ポートを透過させる波長の帯域を任意に変更できる。さらに、ＷＳＳ１０は、各ポートを透過させる波長の光レベルを波長ごとに個別に減衰させて調整することが可能である。
【００１５】
図１に示した光中継装置１においては、波長多重された信号光であるＷＤＭ信号光がＰｏｒｔ＃Ｉｎ１，＃Ｉｎ２，＃Ｉｎ３，＃Ｉｎ４からＷＳＳ１０に入力され、ＷＳＳ１０は入力された各ＷＤＭ信号光を合波して光スプリッタ４０を介してＰｏｒｔ＃Ｏｕｔから出力する。ＷＳＳ１０は任意の波長のＷＤＭ信号光がＰｏｒｔ＃Ｉｎ１，＃Ｉｎ２，＃Ｉｎ３，＃Ｉｎ４の何れかから入力されるよう設定されている。ここで、図１に示したように、本実施の形態では波長λ１、λ２、λ３およびλ４のＷＤＭ信号光がＰｏｒｔ＃Ｉｎ１からＷＳＳ１０に入力され、波長λ５のＷＤＭ信号光がＰｏｒｔ＃Ｉｎ２からＷＳＳ１０に入力される設定としている。ＷＳＳ１０は、入力された波長λ１〜λ５のＷＤＭ信号光を合波する。ＷＳＳ１０から出力されたＷＤＭ信号光は、光スプリッタ４０により２つの経路に分岐され、一方のＷＤＭ信号光はＰｏｒｔ＃Ｏｕｔを介して外部へ出力され、もう一方のＷＤＭ信号光はＯＣＭ２０に入力される。なお、以下の説明においては、波長λｎ（ｎ＝１，２，３，…）のＷＤＭ信号光を単に「波長λｎ」と記載する場合がある。
【００１６】
ＯＣＭ２０は入力光を波長毎に分離し、各波長の光レベルを測定することが可能である。また、ＯＣＭ２０は波長帯域を任意に変更することが可能である。ＯＣＭ２０は、ＷＳＳ１０から出力され、光スプリッタ４０を介して受光した各波長の光レベルを測定する。ＯＣＭ２０は、受光した各波長の光レベルを繰り返し測定する。
【００１７】
制御装置３０は、ＯＣＭ−ＩＦ（Inter  Face）３１、光レベル変動検出部３２、制御対象波長管理部３３、調整実施判定部３４、波長数カウント部３５、レベル調整量決定部３６およびＷＳＳ−ＩＦ３７を備える。
【００１８】
ＯＣＭ−ＩＦ３１は、ＯＣＭ２０と光レベル変動検出部３２とを接続するインタフェース部である。ＯＣＭ−ＩＦ３１は、各波長の光レベルの情報をＯＣＭ２０から取得する。例えば、ＯＣＭ−ＩＦ３１は、光レベルの情報を送信するようにＯＣＭ２０に要求し、光レベルの情報を取得する。
【００１９】
光レベル変動検出部３２は、ＯＣＭ２０で測定された各波長の光レベルに基づいて光レベルの変動を検出する。例えば、光レベル変動検出部３２は、波長ごとの光レベルと規定の光レベルとを比較し、両者の光レベル差を算出する。そして、光レベル変動検出部３２は、ＯＣＭ２０のモニタ精度およびＷＳＳ１０のレベル調整精度を考慮し、比較結果すなわち算出したレベル差がα［ｄＢ］以上の場合に光レベル変動ありと判定し、「光レベル変動有り」を示す情報を調整実施判定部３４へ出力する。光レベル変動検出部３２は、比較結果がα［ｄＢ］未満の場合は「光レベル変動無し」を示す情報を調整実施判定部３４およびレベル調整量決定部３６へ出力する。光レベル変動検出部３２は、波長ごとに、光レベル変動の有無を判定し、各波長の判定結果すなわち「光レベル変動有り」または「光レベル変動無し」を示す情報を調整実施判定部３４へ出力する。また、光レベル変動検出部３２は、各波長の光レベルをレベル調整量決定部３６へ通知する。
【００２０】
制御対象波長管理部３３は、光レベル調整すなわち動的利得制御の対象とする波長の情報を管理する。制御対象波長管理部３３は、作業端末２から波長ごとの動的利得制御の設定情報すなわち「光レベル調整有効」または「光レベル調整無効」を示す情報を取得して保持する。図１では作業端末２と光中継装置１の制御対象波長管理部３３とが直接接続する構成例を示しているが、作業端末２と制御対象波長管理部３３とがネットワークを介して接続する構成としてもよい。
【００２１】
調整実施判定部３４は、光レベル調整の対象とされている波長の各々について、光レベル調整が必要か否かを判定する。具体的には、調整実施判定部３４は、光レベル検出部３２から入力された、各波長の光レベル変動判定結果（「光レベル変動有り」または「光レベル変動無し」）と制御対象波長管理部３３が保持している波長ごとの光レベル調整の設定情報（「光レベル調整有効」または「光レベル調整無効」）とを確認し、光レベルが変動し且つ光レベル調整が有効に設定されている波長を光レベル調整が必要な波長と判定する。調整実施判定部３４は、光レベルが変動し且つ光レベル調整が有効とされている波長以外の波長については光レベル調整が必要ない波長と判定する。図１に示したように、調整実施判定部３４は、複数のＡＮＤ回路で実現できる。すなわち、調整実施判定部３４は、光中継装置１が処理する波長λ1〜λmaxと同じ数のＡＮＤ回路を備え、各ＡＮＤ回路に、光レベル変動検出部３２から出力される波長ごとの判定結果と、制御対象波長管理部３３から出力される設定情報すなわち波長ごとの光レベル調整有効または無効を示す情報とを入力させる構成の回路で実現できる。調整実施判定部３４は、各波長の判定結果を波長数カウント部３５およびレベル調整量決定部３６へ出力する。
【００２２】
波長数カウント部３５は、調整実施判定部３４から入力された、各波長の判定結果を確認し、光レベル調整が必要な波長の数をカウントする。波長数カウント部３５は、光レベル調整が必要な波長の数がゼロの場合はＷＳＳ１０への設定を行わないようＷＳＳ−ＩＦ３７へ通知し、光レベル調整が必要な波長の数が１以上の場合はＷＳＳ１０への設定を行うようＷＳＳ−ＩＦ３７へ通知する。なお、光レベル調整が必要な波長の数をカウントする波長数カウント部３５を備えることとしたが、光レベル調整が必要な波長の有無のみを判定する処理部を波長数カウント部３５の代わりに備える構成としてもよい。
【００２３】
レベル調整量決定部３６は、波長λ１〜λ８０のそれぞれの光レベルをＯＣＭ−ＩＦ３１および光レベル変動検出部３２を介して受け取り、各波長の光レベルと期待光レベルとに基づいて、各波長の光レベルの調整量を決定する。期待光レベルとは、ＷＳＳ１０から出力されるＷＤＭ信号光の光レベルの目標値である。レベル調整量決定部３６は、各波長の光レベルと期待光レベルとの差分を波長ごとに算出し、算出した差分を各波長の光レベルの調整量としてＷＳＳ−ＩＦ３７へ通知する。ここで、レベル調整量決定部３６は、調整実施判定部３４において光レベル調整が必要と判定された波長のみについて、光レベルの調整量を算出するようにしてもよい。光レベル調整が必要と判定された波長のみを対象としてレベル調整量決定部３６が光レベルの調整量を算出する場合、算出処理を必要最小限の波長に限定して実行することになり処理負荷の増加を抑えることができる。なお、レベル調整量決定部３６は、各波長の光レベルの調整量を算出する演算回路で実現できる。この場合、レベル調整量決定部３６は、光中継装置１が処理する波長λ1〜λmaxと同じ数の演算回路を備えて各波長の光レベルの調整量を並列に算出するようにしてもよいし、１つの演算回路を備えて各波長の光レベルの調整量を順番に算出するようにしてもよい。図１では「λ1調整量算出」〜「λmax調整量算出」と記載した構成が演算回路に該当する。
【００２４】
ＷＳＳ−ＩＦ３７は、ＷＳＳ１０と波長数カウント部３５およびレベル調整量決定部３６とを接続するインタフェース部である。ＷＳＳ−ＩＦ３７は、ＷＳＳ１０に対して、波長λ１〜λ８０のそれぞれをＰｏｒｔ＃Ｉｎ１〜＃Ｉｎ４のどのポートから入力させるかの設定を行う。また、ＷＳＳ−ＩＦ３７は、波長選択スイッチ制御部として動作し、ＷＳＳ１０に対して、ＷＳＳ１０が出力する各波長の透過率の設定を行う。透過率は、レベル調整量決定部３６で算出された、波長ごとの光レベルの調整量に基づいて決定される。ＷＳＳ−ＩＦ３７は、光レベルの調整量から透過率を計算する算出式を用いて各波長の透過率を算出してもよいし、光レベルの調整量と透過率の対応テーブルを保持しておき、対応テーブルを参照して各波長の透過率を決定してもよい。ＷＳＳ−ＩＦ３７は、その他の方法で各波長の透過率を決定してもよい。ＷＳＳ−ＩＦ３７は、調整実施判定部３４において光レベル調整が必要と判定された波長のみを対象として透過率を求め、ＷＳＳ１０に透過率を設定するようにしてもよい。なお、ここではＷＳＳ−ＩＦ３７が各波長の透過率を決定することとしたが、レベル調整量決定部３６が各波長の透過率を決定するようにしてもよい。ＷＳＳ１０が出力する各波長の透過率の設定を変更することによりＷＳＳ１０から出力される光信号の減衰量が変化し、出力される光信号の光レベルを調整できる。
【００２５】
以上の構成要素を備えた制御装置３０は、ＦＰＧＡ（Field  Programmable  Gate  Array）、ＡＳＩＣ（Application  Specific  Integrated  Circuit）、単一回路、複合回路、プログラム化したプロセッサ、並列プログラム化したプロセッサ、等の専用のＨ／Ｗ（Ｈａｒｄ  Ｗａｒｅ）により構成される処理回路で実現することが可能である。制御装置３０の構成要素の一部を専用のハードウェアで実現し、残りをソフトウェア、ファームウェア、またはソフトウェアとファームウェアとの組み合わせにより実現してもよい。
【００２６】
制御装置３０の構成要素の一部をソフトウェアなどにより実現する場合、例えば、図２に示した処理回路１００を使用する。処理回路１００は、プロセッサ１０１、メモリ１０２および通信回路１０３を備えている。プロセッサ１０１は、ＣＰＵ（Central  Processing  Unit、中央処理装置、処理装置、演算装置、マイクロプロセッサ、マイクロコンピュータ、プロセッサ、ＤＳＰともいう）、システムＬＳＩ（Large  Scale  Integration）などである。メモリ１０２は、ＲＡＭ（Random  Access  Memory）、ＲＯＭ（Read  Only  Memory）、フラッシュメモリー、ＥＰＲＯＭ（Erasable  Programmable  Read  Only  Memory）、ＥＥＰＲＯＭ（Electrically  Erasable  Programmable  Read-Only  Memory）等の、不揮発性または揮発性の半導体メモリ、磁気ディスク、フレキシブルディスク、光ディスク、コンパクトディスク、ミニディスクまたはＤＶＤ（Digital  Versatile  Disc）等である。
【００２７】
例えば、制御装置３０のＯＣＭ−ＩＦ３１、光レベル変動検出部３２、制御対象波長管理部３３、調整実施判定部３４、波長数カウント部３５、レベル調整量決定部３６およびＷＳＳ−ＩＦ３７の一部を図２に示した処理回路１００で実現する場合、処理回路１００で実現する構成要素のそれぞれに対応するプログラムをメモリ１０２から読み出してプロセッサ１０１が実行することにより実現する。通信回路１０３は、制御装置３０が作業端末２、ＷＳＳ１０およびＯＣＭ２０と通信する際に使用される。
【００２８】
つづいて、制御装置３０がＷＳＳ１０を制御して各波長の動的利得制御すなわち光レベル調整を実行する動作について、図３を参照しながら説明する。なお、図３は、実施の形態１にかかる制御装置３０による動的利得制御の一例を示すフローチャートである。図示したように、制御装置３０による動的利得制御は常時ループのフローとなっており、制御装置３０はステップＳ１〜Ｓ７の各処理を繰り返す。以下、ｎ＝１〜システム波長数の最大値（λmax、例えばλmax＝８０）とする。
【００２９】
制御装置３０は、まず、ＯＣＭ２０より波長λ1〜λmaxのそれぞれの光レベルすなわちパワーＰ1〜Ｐmaxを取得する（ステップＳ１）。このステップＳ１は、上述したＯＣＭ−ＩＦ３１が実行する処理である。制御装置３０は、次に、ＷＳＳ１０の状態を確認し、ＷＳＳ１０が設定受付可能状態か否かを確認する（ステップＳ２）。ＷＳＳ１０が設定受付可能ではない状態とは、例えば、制御装置３０がＷＳＳ１０に対して、波長とポートの関係、各ポートを透過させる波長、各ポートを透過させる波長の帯域、各波長の透過率、などの設定を指示し、指示に従って設定変更を行っている状態が該当する。ＷＳＳ１０は、制御装置３０から設定変更の指示を受けると指示内容に従って設定変更を行い、変更が完了すると変更完了を制御装置３０へ通知する。そのため、制御装置３０は、ＷＳＳ１０が設定受付可能状態か否かを判別できる。なお、ステップＳ２の処理は必須ではなく、省略することも可能である。また、ステップＳ２の処理を後述するステップＳ６とＳ７の間で実行する構成としてもよい。ＷＳＳ１０が設定受付可能状態か否かを判定する処理を図３に示したステップＳ２として実行する構成とした場合には、ステップＳ３以降の処理を不必要に実行してしまうのを防止でき、処理負荷が増大するのを防止できる。
【００３０】
ＷＳＳ１０が設定受付可能な状態ではない場合（ステップＳ２：Ｎｏ）、制御装置３０は、ステップＳ１に戻って処理を継続する。ＷＳＳ１０が設定受付可能な状態の場合（ステップＳ２：Ｙｅｓ）、制御装置３０は、レベル変動波長を抽出する（ステップＳ３）。すなわち、制御装置３０は、各波長について光レベルが変動したか否かを判別し、光レベルが変動した波長の情報を抽出して出力する。具体的には、ステップＳ１で取得した光レベル（Ｐ1〜Ｐmax）の各々と規定の光レベルとの差分を波長ごとに算出し、算出した差分である光レベル差を閾値と比較する。なお、閾値は上述したα［ｄＢ］である。そして、光レベル差が閾値以上の波長については光レベルが変動したと判定する。使用する閾値は、全波長に対して同じ値でもよいし、波長毎に異なる値としてもよい。ステップＳ２およびＳ３は、上述した光レベル変動検出部３２が実行する処理である。ステップＳ２において、光レベル変動検出部３２は、ＷＳＳ−ＩＦ３７から必要な情報を取得し、ＷＳＳ１０が設定受付可能な状態か否かを判定する。光レベル変動検出部３２がＷＳＳ−ＩＦ３７から取得する情報とは、ＷＳＳ１０が設定変更を行っている状態か否かを示す情報である。
【００３１】
制御装置３０は、次に、光レベルの制御対象の判定を行う（ステップＳ４）。すなわち、制御装置３０は、各波長について光レベル調整が必要か否かを判定する。具体的には、制御装置３０は、作業端末２から取得した、光レベル調整の対象とする波長の情報と、ステップＳ３で光レベルが変動したと判定した波長の情報とに基づいて、波長ごとに、光レベル調整が必要か否かを判定する。制御装置３０は、光レベル調整の対象とする波長の情報が光レベルの調整が有効であることを示し、かつステップＳ３で光レベルが変動したと判定した波長について、光レベル調整が必要な波長と判定し、光レベルの制御対象とする。このステップＳ４は、上述した調整実施判定部３４が実行する処理である。
【００３２】
制御装置３０は、次に、レベル調整が必要な波長の有無を確認する（ステップＳ５）。すなわち、制御装置３０は、ステップＳ４において光レベル調整が必要と判定した波長が１つ以上存在するか否かを確認する。このステップＳ５は、上述した波長数カウント部３５が実行する処理である。ステップＳ４で光レベル調整が必要と判断した波長がゼロの場合（ステップＳ５：Ｎｏ）、制御装置３０は、ステップＳ１に戻って処理を継続する。
【００３３】
ステップＳ４で光レベル調整が必要と判定した波長が１つ以上存在する場合（ステップＳ５：Ｙｅｓ）、制御装置３０は、制御対象の各波長、すなわち光レベル調整が必要な各波長の調整目標値を計算する（ステップＳ６）。調整目標値は上述した「光レベルの調整量」である。制御装置３０は、ステップＳ１で取得した光レベル（Ｐ1〜Ｐmax）のうち、ステップＳ４で光レベル調整が必要と判定した波長の光レベル（Ｐn）の各々と規定の光レベルとの差分を波長ごとに算出し、算出した差分を調整目標値とする。このステップＳ６は、上述したレベル調整量決定部３６が実行する処理である。
【００３４】
次に、制御装置３０は、ステップＳ６で算出した、光レベル調整が必要な各波長の調整目標値をＷＳＳ１０に設定する（ステップＳ７）。すなわち、制御装置３０は、ステップＳ６で算出した調整目標値に従ってＷＳＳ１０が光レベルを調整するよう、ＷＳＳ１０に対して設定変更を指示する。このステップＳ７は、上述したＷＳＳ−ＩＦ３７が実行する処理である。ＷＳＳ−ＩＦ３７は各波長の透過率をＷＳＳ１０へ通知することにより設定変更を指示する。このとき、ＷＳＳＩＦ−３７は、光レベル調整が必要な波長の透過率のみをＷＳＳ１０へ通知する。なお、ＷＳＳ１０は、制御装置３０から設定変更の指示すなわち光レベル調整が必要な波長の透過率の通知を受けると、設定変更動作を開始する。ＷＳＳ１０は、設定変更動作を開始後、光レベル調整が必要な波長の透過率の設定変更が完了するまでに要する数秒間の間は、次の設定変更指示を受け付けることができない状態となる。
【００３５】
実施の形態１にかかる光中継装置１により得られる効果を説明する。ここでは、一例として、Ｐｏｒｔ＃Ｉｎ１からサービス中の波長λ１、λ２、λ３およびλ４が入力され、Ｐｏｒｔ＃Ｉｎ２から新規増設波長λ５が入力されている状態とする。また、新規増設波長λ５は新規信号光として立ち上げ途中とする。すなわち、波長λ５は新規信号光であるため、規定の光レベルの出力を発出するまでに調整時間を要し、光源において光レベルを調整中であるものとする。また、光源の個体ばらつきなどにより、規定の光レベルに到達するまでの光出力変化も個体毎に異なる。この場合、波長λ５の光レベルは不安定な状態であり、光中継装置１において波長λ５の光レベル調整を有効にしておくと、光源から規定の光レベルで波長λ５が発出されるようになるまでの間、光中継装置１は波長λ５の光レベル調整すなわちＷＳＳ１０の設定変更を繰り返し実行する。上述したようにＷＳＳ１０が設定変更を実施している間は次の設定変更が実施できない。そのため、波長λ５の光レベル調整のためにＷＳＳ１０が設定変更を実施している状態でサービス中の波長（波長λ１〜λ４の一部または全て）で光レベル変動が発生した場合、サービス中の波長の光レベル調整を開始するまでの待ち時間が発生する。すなわち、信号伝送品質が劣化した状態が長く続いてしまう。しかし、作業端末２から制御対象波長管理部３３に対して、既に運用中の波長λ１、λ２、λ３、λ４は「光レベル調整有効」、新規信号光である波長λ５は「光レベル調整無効」とする設定を行っておくことにより、光レベル調整の所要時間を短縮できる。
【００３６】
すなわち、制御装置３０は、波長λ５は光レベル調整が無効に設定されているため、波長λ５に光レベルの変動が生じていても、波長λ１〜λ４に光レベルの変動が生じていなければ、光レベル調整を実施しない。そのため、ＷＳＳ１０に設定変更を指示できない期間であるＷＳＳ設定無効期間が必要以上に発生してしまうのを抑止可能となる。また、制御装置３０は、波長λ５の光レベル調整を無効として待機しているため、波長λ５の光レベルのみが変動しても光レベル調整を実施せず、そのすぐ後に波長λ１、λ２、λ３およびλ４の一部または全ての光レベルが変動した場合、光レベル変動を検出した波長の光レベル調整を待ち時間なく開始することが可能となる。
【００３７】
このように、本実施の形態にかかる光中継装置１によれば、光レベル変動を検知した場合の光レベル変動検知から光レベル調整開始までの所要時間を、最大で動的利得制御実行周期の時間だけ短縮することが可能となる。動的利得制御実行周期とは、制御装置３０がＷＳＳ１０に対して特定波長の透過率の設定変更を指示し、ＷＳＳ１０が設定変更を完了するまでの所要時間である。
【００３８】
なお、光レベル変動を検知してから光レベル調整を開始するまでの所要時間を、動的利得制御実行周期の時間だけ短縮することができるのは、光レベル調整が無効とされている波長の光レベルのみが変動し、そのすぐ後に光レベル調整が有効とされている波長の光レベル変動が発生した場合である。また、光レベル調整が無効とされている波長については光レベル変動の有無によらず光レベル調整を行わないため、光レベル調整を実施する波長の数が必要以上に多くなるのを防止できる。また、光レベル調整が有効とされている波長の光レベル変動と光レベル調整が無効とされている波長の光変動が同時に発生した場合、光レベル調整が有効とされている波長のみを対象として光レベル調整を行うため、１回の光レベル調整、すなわちＷＳＳ１０の設定変更に要する時間を短縮できる。
【００３９】
以上のように、本実施の形態にかかる光中継装置１は、波長ごとに光レベル調整の対象とするか否かの設定情報を保持しておき、光レベルの変動を検知した場合、検知した波長が光レベル調整の対象に設定されていれば当該波長に対して光レベル調整を実行し、検知した波長が光レベル調整の対象に設定されていなければ当該波長に対する光レベル調整を実行しないこととした。これにより、不要な光レベル調整すなわちＷＳＳの設定を実行してしまい、その後の光レベル調整の開始タイミングが遅延してしまうのを防止することができる。従って、本実施の形態にかかる光中継装置１によれば、光レベルの変動を検知してから光レベル調整が完了するまでの所要時間を短縮でき、光伝送システムにおける信号伝送品質を向上させることができる。
【００４０】
なお、光伝送システムを構成する全ての光中継装置を実施の形態１にかかる光中継装置１とする必要はなく、一部の光中継装置を光中継装置１とすることにより光伝送システムにおける信号伝送品質を向上させることができる。少なくとも１台の光中継装置１を備えた光伝送システムとすることにより、光中継装置１で光レベル変動を検出した場合の光レベル調整に要する時間は、光中継装置１を含まない構成とした場合と比較して短くなるので、光伝送システムにおける信号伝送品質が向上する。
【００４１】
実施の形態２．
図４は、実施の形態２にかかる光中継装置の構成例を示す図である。実施の形態２にかかる光中継装置１ａは、実施の形態１にかかる光中継装置１の制御装置３０を制御装置３０ａに置き換え、さらに、ＯＳＣ（Optical  Supervisory  Channel）処理部５１および５２を追加した構成である。なお、光中継装置１ａにおいて、光中継装置１と同じ符号が付された構成要素は光中継装置１の対応する構成要素と同じものであるため、説明を省略する。
【００４２】
制御装置３０ａは、実施の形態１にかかる制御装置３０の制御対象波長管理部３３を制御対象波長管理部３３ａに置き換えたものである。制御装置３０ａは制御対象波長管理部３３ａを備えている以外は実施の形態１の制御装置３０と同様である。そのため、制御対象波長管理部３３ａ以外については説明を省略する。
【００４３】
実施の形態１で説明したように、制御装置３０の制御対象波長管理部３３は、各波長の動的利得制御が有効か無効かを示す設定情報を作業端末２から取得して保持していた。これに対して、本実施の形態にかかる制御装置３０ａの制御対象波長管理部３３ａは、光信号の中継元となっている他の光中継装置から動的利得制御の設定に関する情報を取得し、取得した情報に基づき、波長ごとの動的利得制御の設定、すなわち、光レベル調整を有効とする波長および光レベル調整を無効とする波長を設定する。また、制御対象波長管理部３３ａは、動的利得制御すなわち光レベル調整を実施する波長の情報を生成し、生成した情報を利得制御情報として光信号の中継先の他の中継装置へ送信する。
【００４４】
ＯＳＣ処理部５１は、他の光中継装置から送信されたＯＳＣ光を受信するＯＳＣ受信部（ＯＳＣ  ＲＸ）５３を備える。ＯＳＣ光は、波長多重光伝送システムにおいてシステムを構成している機器の監視および制御を行う際に使用する信号光である。ＯＳＣ受信部５３が受信するＯＳＣ光は、他の光中継装置における利得制御情報、すなわち他の中継装置で光レベル調整が実施される波長の情報を含んでいる。
【００４５】
ＯＳＣ処理部５２は、他の光中継装置へＯＳＣ光を送信するＯＳＣ送信部（ＯＳＣ  ＴＸ）５４を備える。ＯＳＣ送信部５４が送信するＯＳＣ光は、自装置（自光中継装置）で光レベル調整を実施する波長の情報である利得制御情報を含んでいる。
【００４６】
まず、複数の光中継装置１ａの接続について、図５を用いて説明する。図５は、実施の形態２にかかる光中継装置１ａを複数接続して形成された波長多重光伝送システムである光伝送システム２００の構成例を示す図である。便宜上、図５に示した３つの光中継装置１ａをノード＃１、ノード＃２、ノード＃３として説明を行う。
【００４７】
ノード＃１〜＃３は光ファイバで接続され、ＯＳＣ光はユーザデータの伝送に使用されるサービス波長λ１〜λ６と同じファイバで伝送される。ＯＳＣ光の波長は、図６に示したように、サービス波長とは異なる波長帯域を使用する。なお、図６に示した例において「ＯＳＣ」と示した帯域がＯＳＣ光の帯域、「Ｓｉｇｎａｌｓ」と示した帯域がサービス波長の帯域である。
【００４８】
ノード＃１〜＃３は、図４では記載を省略している分波器６１、増幅器（ＡＭＰ）６２、分波装置（ＤＥ  ＭＵＸ）６３、合波装置（ＭＵＸ）６４、増幅器（ＡＭＰ）６５および合波器６６を備えている。
【００４９】
分波器６１は、サービス波長とＯＳＣ光とが波長多重された光信号を分波してサービス波長とＯＳＣ光とに分離し、サービス波長を増幅器６２へ入力させるとともにＯＳＣ光をＯＳＣ処理部５１へ入力させる。
【００５０】
増幅器６２は、入力されたサービス波長を一括増幅する。分波装置６３は、図示を省略している複数の出力ポートを有しており、入力されたサービス波長を出力先のポートが同じ波長のもの同士に分波し、出力ポートから出力する。
【００５１】
合波装置６４は、図４に示したＷＳＳ１０、ＯＣＭ２０および制御装置３０ａにより構成され、複数の入力ポートの各々から入力された波長を合波して出力する。なお、図５ではＷＳＳ１０およびＯＣＭ２０の記載を省略している。合波装置６４のＷＳＳ１０は、実施の形態１で説明したように、出力する各波長の光レベルを個別に減衰させて調整することが可能である。
【００５２】
増幅器６５は、入力されたサービス波長を一括増幅する。合波器６６は、増幅器６５から出力されたサービス波長とＯＳＣ処理部５２から出力されたＯＳＣ光を合波して出力する。
【００５３】
なお、実施の形態１では説明を省略したが、実施の形態１にかかる光中継装置１も同様に、上記の分波器６１、増幅器６２、分波装置６３、合波装置６４、増幅器６５および合波器６６を備えている。
【００５４】
つぎに、本実施の形態にかかる光中継装置１ａの動作を説明する。なお、実施の形態１にかかる光中継装置１と異なる部分について説明する。
【００５５】
光中継装置１ａにおいて、制御装置３０ａの制御対象波長管理部３３ａは、調整実施判定部３４での判定結果、すなわち光レベル調整の対象とされている波長の各々についての光レベル調整が必要か否かの判定結果の情報を調整実施判定部３４から取得し、取得した情報を利得制御情報としてＯＳＣ処理部５２へ出力する。なお、制御対象波長管理部３３ａは、伝送する情報量を削減する目的で、光レベル調整を実施する波長の情報のみ、または、光レベル調整を実施しない波長の情報のみを利得制御情報として出力するようにしてもよい。また、制御対象波長管理部３３ａは、ＯＳＣ処理部５１を介して他の光中継装置１ａから利得制御情報が送信されてきた場合、送信されてきた利得制御情報に基づいて、光レベル調整有効とする波長および光レベル調整無効とする波長を設定する。具体的には、制御対象波長管理部３３ａは、利得制御情報を確認し、他の光中継装置１ａにおいて光レベル調整実施とされている波長を光レベル調整無効に設定し、他の光中継装置１ａにおいて光レベル調整不実施とされている波長を光レベル調整有効に設定する。すなわち、制御対象波長管理部３３ａは、利得制御情報の送信元の光中継装置１ａにおいて光レベル調整が不要と判定されている波長を光レベル調整有効に設定し、利得制御情報の送信元の光中継装置１ａにおいて光レベル調整が必要と判定されている波長を光レベル調整無効に設定する。
【００５６】
ＯＳＣ処理部５２のＯＳＣ送信部５４は、制御対象波長管理部３３ａからデジタルデータとして出力された利得制御情報をＯＳＣ光に変換して出力する。なお、ＯＳＣ送信部５４は、利得制御情報の他に、その他の情報も一緒にＯＳＣ光に変換するようにしてもよい。
【００５７】
ＯＳＣ処理部５１のＯＳＣ受信部５３は、他の光中継装置から送信されたＯＳＣ光を受信するとデジタルデータに変換し、デジタルデータから利得制御情報を抽出して制御対象波長管理部３３ａに出力する。
【００５８】
実施の形態２にかかる光中継装置１ａにより得られる効果について説明する。ここでは、光中継装置１ａが図５に示した光伝送システム２００を構成しているものとする。すなわち、ノード＃１には運用中の信号光、具体的には波長λ１、λ２およびλ３が入力され、ノード＃２において、波長λ１、λ２およびλ３に対して他の運用中の信号光、具体的には波長λ４、λ５およびλ６が挿入されている状態とする。また、ノード＃１の出力ポートとノード＃２の入力ポートとが接続され、ノード＃２の出力ポートとノード＃３の入力ポートとが接続されている状態とする。
【００５９】
図５に示した光伝送システム２００において、波長λ１、λ２およびλ３の光レベル変動が発生中に、新たに波長λ４、λ５およびλ６の光レベル変動が発生した場合、光中継装置１ａは、以下の手順で各波長の光レベルを調整する。
【００６０】
波長λ１、λ２およびλ３の光レベルがノード＃１の入力時点で変動している場合、光レベル変動をノード＃１、ノード＃２およびノード＃３で検出する。ノード＃１、ノード＃２およびノード＃３の光レベル変動検出は非同期であるので、光レベル変動を検出するノードのパターンは複数考えられる。以下、（１）ノード＃１が最初に波長λ１、λ２およびλ３の光レベル変動を検出する場合、（２）ノード＃２が最初に波長λ１、λ２およびλ３の光レベル変動を検出する場合、（３）ノード＃３が最初に波長λ１、λ２およびλ３の光レベル変動を検出する場合、のそれぞれについて説明する。
【００６１】
（１）ノード＃１が最初に波長λ１、λ２およびλ３の光レベル変動を検出する場合
この場合、ノード＃１において、光レベル変動検出部３２、制御対象波長管理部３３ａおよび調整実施判定部３４が上述した動作を実行することにより波長λ１、λ２およびλ３を光レベル調整が必要な波長に決定する。ノード＃１は、この結果に従い、波長数カウント部３５およびＷＳＳ−ＩＦ３７を動作させ、ＷＳＳ１０を用いて波長λ１、λ２およびλ３の光レベルを調整する。更に、ノード＃１は、波長λ１、λ２およびλ３の光レベル調整を実施することを、制御対象波長管理部３３ａおよびＯＳＣ処理部５２を用いて、ノード＃２へＯＳＣ光を送信して通知する。ノード＃２では、ＯＳＣ処理部５１がノード＃１からのＯＳＣ光を受信し、利得制御情報を抽出して制御装置３０ａに出力する。ノード＃２の制御装置３０ａにおいては、制御対象波長管理部３３ａが利得制御情報を受け取り、波長λ１、λ２およびλ３の光レベル調整が実施されていることを認識する。そして、制御対象波長管理部３３ａは、波長λ１、λ２およびλ３の光レベル調整を無効に設定する。ノード＃２では、波長λ１、λ２およびλ３の光レベル変動については光レベル調整の対象外とするため、波長λ１、λ２およびλ３が光レベル変動し、かつ波長λ４、λ５およびλ６も光レベル変動した場合、波長λ１、λ２およびλ３の光レベル調整は実施せずに、波長λ４、λ５およびλ６の光レベル調整のみを実施する。従って、ノード＃２は波長λ４、λ５およびλ６に対する光レベル調整を待ち時間なく開始できる。結果として、ノード＃２が波長λ４、λ５およびλ６の光レベル変動検知から光レベル調整開始までの所要時間を、最大で動的利得制御実行周期の時間だけ短縮できる。
【００６２】
（２）ノード＃２が最初に波長λ１、λ２およびλ３の光レベル変動を検出する場合
この場合、ノード＃２において、光レベル変動検出部３２、制御対象波長管理部３３ａおよび調整実施判定部３４が上述した動作を実行することにより波長λ１、λ２およびλ３を光レベル調整が必要な波長に決定する。ノード＃２は、この結果に従い、波長数カウント部３５およびＷＳＳ−ＩＦ３７を動作させ、ＷＳＳ１０を用いて波長λ１、λ２およびλ３の光レベルを調整する。更に、ノード＃２は、波長λ１、λ２およびλ３の光レベル調整を実施することを、制御対象波長管理部３３ａおよびＯＳＣ処理部５２を用いて、ノード＃３へＯＳＣ光を送信して通知する。ノード＃３では、ＯＳＣ処理部５１がノード＃２からのＯＳＣ光を受信し、利得制御情報を抽出して制御装置３０ａに出力する。ノード＃３の制御装置３０ａにおいては、制御対象波長管理部３３ａが利得制御情報を受け取り、波長λ１、λ２およびλ３の光レベル調整が実施されていることを認識する。そして、制御対象波長管理部３３ａは、波長λ１、λ２およびλ３の光レベル調整を無効に設定する。ノード＃３では、波長λ１、λ２およびλ３の光レベル変動については光レベル調整の対象外とするため、波長λ１、λ２およびλ３が光レベル変動し、かつ波長λ４、λ５およびλ６も光レベル変動した場合、波長λ１、λ２およびλ３の光レベル調整は実施せずに、波長λ４、λ５およびλ６の光レベル調整のみを実施する。従って、ノード＃３は波長λ４、λ５およびλ６に対する光レベル調整を待ち時間なく開始できる。結果として、ノード＃３が波長λ４、λ５およびλ６の光レベル変動検知から光レベル調整開始までの所要時間を、最大で動的利得制御実行周期の時間だけ短縮できる。なお、ノード＃１では、ノード＃２が波長λ１〜λ３の光レベル調整を実施中である情報をノード＃２から通知されないため、波長λ１〜λ３の光レベル変動を検知した場合にこれらの波長の光レベル調整を実施することも可能である。
【００６３】
（３）ノード＃３が最初に波長λ１、λ２およびλ３の光レベル変動を検出する場合
この場合、ノード＃３において、光レベル変動検出部３２、制御対象波長管理部３３ａおよび調整実施判定部３４が上述した動作を実行することにより波長λ１、λ２およびλ３を光レベル調整が必要な波長に決定する。ノード＃３は、この結果に従い、波長数カウント部３５およびＷＳＳ−ＩＦ３７を動作させ、ＷＳＳ１０を用いて波長λ１、λ２およびλ３の光レベルを調整する。更に、ノード＃３は、波長λ１、λ２およびλ３の光レベル調整を実施することを、制御対象波長管理部３３ａおよびＯＳＣ処理部５２を用いて、下流のノードすなわち各波長の送信先のノードへＯＳＣ光を送信して通知する。波長λ１、λ２およびλ３の光レベル調整をノード＃３が実施していることはノード＃１および＃２には通知されないため、ノード＃１および＃２の一方または双方で波長λ１、λ２およびλ３の光レベル調整が新たに実施される可能性がある。波長λ１、λ２およびλ３の光レベル変動中に新たに波長λ４、λ５およびλ６の光レベル変動が発生した場合、ノード＃２、ノード＃３またはノード＃３よりも下流のノード、具体的には、ＷＳＳ１０の設定変更動作を実行中ではないノードのうち、波長λ４、λ５およびλ６の光レベル変動を最も早く検知したノードが波長λ４、λ５およびλ６の光レベル調整を実施する。結果として、波長λ１〜λ３、λ４〜λ６それぞれの光レベル変動検知から光レベル調整開始までの所要時間を、最大で動的利得制御実行周期の時間だけ短縮できる。
【００６４】
なお、制御対象波長管理部３３ａは、上述した動作に加えて、実施の形態１の制御対象波長管理部３３と同様の動作、具体的には、作業端末２を接続し、光レベル調整が不要な波長の情報を作業端末２から取得する動作も実行可能な構成としてもよい。制御対象波長管理部３３ａは、光レベル調整が不要な波長の情報を作業端末２から取得した場合、作業端末２から取得した情報が示す波長については、光信号の送信元の他の光中継装置１ａから受信した利得制御情報の内容によらず、常に光レベル調整が不要な波長に設定する。
【００６５】
以上のように、本実施の形態にかかる光中継装置１ａは、他の光中継装置で光レベル調整が実施されている波長の情報を取得し、取得した情報に基づいて、波長ごとに光レベル調整の対象とするか否かを設定することとした。また、光レベル変動を検出して光レベル調整を実施する場合には、光レベル調整を実施する波長の情報を下流側の他の光中継装置１ａへ送信することとした。また、実施の形態１にかかる光中継装置１と同様に、光レベルの変動を検知した場合、検知した波長が光レベル調整の対象に設定されていれば当該波長に対して光レベル調整を実行し、検知した波長が光レベル調整の対象に設定されていなければ当該波長に対する光レベル調整を実行しないこととした。これにより、不要な光レベル調整すなわちＷＳＳの設定を実行してしまい、その後の光レベル調整の開始タイミングが遅延してしまうのを防止することができる。従って、光レベルの変動を検知してから光レベル調整が完了するまでの所要時間を短縮でき、信号伝送品質を向上させることができる。
【００６６】
なお、光伝送システム２００を構成する全ての光中継装置を実施の形態２にかかる光中継装置１ａとする必要はなく、一部の光中継装置を光中継装置１ａとすることにより光伝送システム２００における信号伝送品質を向上させることができる。直接接続された２台以上の光中継装置１ａを備え、上流すなわち光信号の送信側の光中継装置１ａが下流側の光中継装置１ａへ利得制御情報を送信する構成の光伝送システム２００とすればよい。
【００６７】
実施の形態３．
図７は、実施の形態３にかかる光中継装置１ｂを複数接続して形成された波長多重光伝送システムである光伝送システム３００の構成例を示す図である。図７に示した光伝送システム３００は、実施の形態２にかかる光伝送システム２００の構成を多方路に拡張したものである。
【００６８】
実施の形態３にかかる光中継装置１ｂは、実施の形態２で説明した光中継装置１ａの入力インタフェース数および出力インタフェース数を方路の数だけ拡張したものである。
【００６９】
図７に示した光伝送システム３００は、ノード＃１の光中継装置１ｂの出力ポートにノード＃２の光中継装置１ｂおよびノード＃３の光中継装置１ｂを接続した構成としている。ノード＃１の第１の入力ポートには波長λ１〜λ６が入力され、第２の入力ポートには波長λ１１〜λ１６が入力されている。また、ノード＃１の第１の出力ポートにはノード＃２が接続され、ノード＃１からノード＃２へは波長λ１〜λ３、λ１４〜λ１６が出力される。ノード＃１の第２の出力ポートにはノード＃３が接続され、ノード＃１からノード＃３へは波長λ４〜λ６、λ１１〜λ１３が出力される。
【００７０】
光中継装置１ｂは、ＯＳＣ処理部５１Ａおよび５１Ｂと、ＯＳＣ処理部５２Ａおよび５２Ｂと、分波器６１Ａおよび６１Ｂと、増幅器６２Ａおよび６２Ｂと、分波装置６３Ａおよび６３Ｂと、合波装置６４Ａおよび６４Ｂと、増幅器６５Ａおよび６５Ｂと、合波器６６Ａおよび６６Ｂとを備えている。
【００７１】
光中継装置１ｂのＯＳＣ処理部５１Ａおよび５１Ｂ、ＯＳＣ処理部５２Ａおよび５２Ｂ、分波器６１Ａおよび６１Ｂ、増幅器６２Ａおよび６２Ｂ、分波装置６３Ａおよび６３Ｂ、合波装置６４Ａおよび６４Ｂ、増幅器６５Ａおよび６５Ｂ、合波器６６Ａおよび６６Ｂは、それぞれ、実施の形態２の光中継装置１ａを構成しているＯＳＣ処理部５１、ＯＳＣ処理部５２、分波器６１、増幅器６２、分波装置６３、合波装置６４、増幅器６５、合波器６６、と同様の処理を実施する。
【００７２】
ただし、ＯＳＣ処理部５１Ａおよび５１Ｂは、ＯＳＣ光から抽出した利得制御情報を合波装置６４Ａおよび６４Ｂの双方へ出力する構成としている。また、分波装置６３Ａおよび６３Ｂから出力される分波後の各波長が合波装置６４Ａおよび６４Ｂのどちらにも入力可能な構成としている。
【００７３】
また、合波装置６４Ａおよび６４Ｂの図示を省略している制御対象波長管理部３３ａは、ＯＳＣ処理部５１Ａおよび５１Ｂから入力された利得制御情報の各々に基づいて、自身が配置されている方路において合波される波長ごとの動的利得制御の設定、すなわち、光レベル調整を有効とする波長および光レベル調整を無効とする波長を設定する。また、制御対象波長管理部３３ａは、利得制御情報を生成して出力する。
【００７４】
図７に示した構成とすることにより、多方路の場合においても、光中継装置１ｂが光レベル変動を検知してから光レベル調整を開始するまでの所要時間を、最大で動的利得制御実行周期の時間だけ短縮できる。
【００７５】
なお、光伝送システム３００を構成する全ての光中継装置を実施の形態３にかかる光中継装置１ｂとする必要はなく、一部の光中継装置を光中継装置１ｂとすることにより光伝送システム３００における信号伝送品質を向上させることができる。直接接続された２台以上の光中継装置１ｂを備え、上流側の光中継装置１ｂが下流側の光中継装置１ｂへ利得制御情報を送信する構成の光伝送システム３００とすればよい。
【００７６】
また、図７では光中継装置１ｂのみにより構成された光伝送システムの例を示したが、実施の形態２の光伝送装置１ａと光中継装置１ｂとを混在させて光伝送システムを構成することも可能である。
【００７７】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００７８】
１，１ａ，１ｂ  光中継装置、１０  ＷＳＳ、２０  ＯＣＭ、３０，３０ａ  制御装置、３１  ＯＣＭ−ＩＦ、３２  光レベル変動検出部、３３，３３ａ  制御対象波長管理部、３４  調整実施判定部、３５  波長数カウント部、３６  レベル調整量決定部、３７  ＷＳＳ−ＩＦ、４０  光スプリッタ、５１，５１Ａ，５１Ｂ，５２，５２Ａ，５２Ｂ  ＯＳＣ処理部、５３  ＯＳＣ受信部、５４  ＯＳＣ送信部、６１，６１Ａ，６１Ｂ  分波器、６２，６２Ａ，６２Ｂ，６５，６５Ａ，６５Ｂ  増幅器、６３，６３Ａ，６３Ｂ  分波装置、６４，６４Ａ，６４Ｂ  合波装置、６６，６６Ａ，６６Ｂ  合波器、２００，３００  光伝送システム。
【図１】
2017109830.tif 000003
【図２】
2017109830.tif 000004
【図３】
2017109830.tif 000005
【図４】
2017109830.tif 000006
【図５】
2017109830.tif 000007
【図６】
2017109830.tif 000008
【図７】
2017109830.tif 000009
【手続補正書】
【提出日】平成28年6月8日(2016.6.8)
【手続補正１】
【補正対象書類名】特許請求の範囲
【補正対象項目名】全文
【補正方法】変更
【補正の内容】
【特許請求の範囲】
【請求項１】
波長単位での経路切り替えおよび波長ごとの光レベル調整が可能であり、各ポートを透過させる波長、帯域および透過率を設定変更中は新規設定受付不可状態となる波長選択スイッチと、
前記波長選択スイッチから出力される光信号の波長ごとの光レベルの変動量と前記光信号の各波長の光レベル調整が他の光中継装置で実施中か否かを波長ごとに示す設定情報とに基づいて、前記波長選択スイッチに対して前記光信号の光レベル調整量の設定変更を指示する制御装置と、
を備えることを特徴とする光中継装置。
【請求項２】
前記制御装置は、
前記波長選択スイッチから出力される各波長の光レベルが変動したか否かを波長ごとに判定する光レベル変動検出部と、
前記設定情報を保持する制御対象波長管理部と、
前記光レベル変動検出部による判定結果および前記設定情報に基づいて、光レベル調整が必要か否かを波長ごとに判定する調整実施判定部と、
前記調整実施判定部により光レベル調整が必要と判定された波長の前記光レベル調整量を決定するレベル調整量決定部と、
前記レベル調整量決定部で決定された前記光レベル調整量に基づく各波長の透過率を前記波長選択スイッチに通知し、前記波長選択スイッチが前記光信号を出力する際の光レベル調整量の設定変更を指示する波長選択スイッチ制御部と、
を備えることを特徴とする請求項１に記載の光中継装置。
【請求項３】
前記調整実施判定部は、前記設定情報が光レベル調整が他の光中継装置で未実施状態を示している波長の光レベル変動が前記光レベル変動検出部で検出されると当該波長の光レベル変動が必要と判定することを特徴とする請求項２に記載の光中継装置。
【請求項４】
前記制御対象波長管理部は、外部の作業端末から前記設定情報を取得して保持することを特徴とする請求項２または３に記載の光中継装置。
【請求項５】
前記制御対象波長管理部は、複数のポートに接続されている送信元の光中継装置で光レベル調整が実施されている波長の情報を前記他の光中継装置から取得し、取得した情報に基づいて前記設定情報を生成して保持することを特徴とする請求項２または３に記載の光中継装置。
【請求項６】
前記制御対象波長管理部は、前記波長選択スイッチで光レベル調整を実施している波長の情報を前記波長選択スイッチから出力される光信号の送信先の他の光中継装置へ送信することを特徴とする請求項５に記載の光中継装置。
【請求項７】
他の光中継装置から出力された光信号が入力される入力ポートを複数備え、
前記制御対象波長管理部は、前記複数の入力ポートの各々に接続された他の光中継装置で光レベル調整が実施されている波長の情報を前記複数の入力ポートの各々に接続された前記他の光中継装置の各々から取得し、取得した情報に基づいて前記設定情報を生成して保持することを特徴とする請求項２に記載の光中継装置。
【請求項８】
波長単位での経路切り替えおよび波長ごとの光レベル調整が可能であり、各ポートを透過させる波長、帯域および透過率を設定変更中は新規設定受付不可状態となる波長選択スイッチの制御方法であって、
前記波長選択スイッチから出力される各波長の光レベルが変動したか否かを波長ごとに判定する光レベル変動判定ステップと、
前記波長選択スイッチから出力される光信号の各波長の光レベル調整が他の光中継装置で実施中か否かを波長ごとに示す設定情報と、前記光レベル変動判定ステップにおける判定結果とに基づいて、光レベル調整が必要か否かを波長ごとに判定する調整実施判定ステップと、
前記調整実施判定ステップで光レベル調整が必要と判定した波長の光レベル調整量を決定するレベル調整量決定ステップと、
前記レベル調整量決定ステップで決定した光レベル調整量に基づく各波長の透過率を前記波長選択スイッチに通知して、前記波長選択スイッチが前記光信号を出力する際の光レベル調整量の設定変更を指示する指示ステップと、
を含むことを特徴とする制御方法。
【請求項９】
請求項１から４のいずれか一つに記載の光中継装置を１台以上備えて構成されたことを特徴とする光伝送システム。
【請求項１０】
請求項５から７のいずれか一つに記載の光中継装置を２台以上備え、かつ当該２台以上の光中継装置の間で前記設定情報を送受信可能に構成されたことを特徴とする光伝送システム。
【手続補正書】
【提出日】平成28年9月7日(2016.9.7)
【手続補正１】
【補正対象書類名】特許請求の範囲
【補正対象項目名】全文
【補正方法】変更
【補正の内容】
【特許請求の範囲】
【請求項１】
波長単位での経路切り替えおよび波長ごとの光レベル調整が可能であり、各ポートを透過させる波長、帯域および透過率を設定変更中は新規設定受付不可状態となる波長選択スイッチと、
前記波長選択スイッチから出力される光信号の波長ごとの光レベルの変動量と前記光信号の各波長の光レベル調整が他の光中継装置で実施中か否かを波長ごとに示す設定情報とに基づいて、前記波長選択スイッチに対して前記光信号の光レベル調整量の設定変更を指示する制御装置と、
を備え、
前記制御装置は、光レベル調整が他の光中継装置で実施中の波長を光レベル調整の対象外とすることを特徴とする光中継装置。
【請求項２】
前記制御装置は、
前記波長選択スイッチから出力される各波長の光レベルが変動したか否かを波長ごとに判定する光レベル変動検出部と、
前記設定情報を保持する制御対象波長管理部と、
前記光レベル変動検出部による判定結果および前記設定情報に基づいて、光レベル調整が必要か否かを波長ごとに判定する調整実施判定部と、
前記調整実施判定部により光レベル調整が必要と判定された波長の前記光レベル調整量を決定するレベル調整量決定部と、
前記レベル調整量決定部で決定された前記光レベル調整量に基づく各波長の透過率を前記波長選択スイッチに通知し、前記波長選択スイッチが前記光信号を出力する際の光レベル調整量の設定変更を指示する波長選択スイッチ制御部と、
を備えることを特徴とする請求項１に記載の光中継装置。
【請求項３】
前記調整実施判定部は、前記設定情報が光レベル調整が他の光中継装置で未実施状態を示している波長の光レベル変動が前記光レベル変動検出部で検出されると当該波長の光レベル調整が必要と判定することを特徴とする請求項２に記載の光中継装置。
【請求項４】
前記制御対象波長管理部は、外部の作業端末から前記設定情報を取得して保持することを特徴とする請求項２または３に記載の光中継装置。
【請求項５】
前記制御対象波長管理部は、複数のポートに接続されている送信元の光中継装置で光レベル調整が実施されている波長の情報を前記他の光中継装置から取得し、取得した情報に基づいて前記設定情報を生成して保持することを特徴とする請求項２または３に記載の光中継装置。
【請求項６】
前記制御対象波長管理部は、前記波長選択スイッチで光レベル調整を実施している波長の情報を前記波長選択スイッチから出力される光信号の送信先の他の光中継装置へ送信することを特徴とする請求項５に記載の光中継装置。
【請求項７】
他の光中継装置から出力された光信号が入力される入力ポートを複数備え、
前記制御対象波長管理部は、前記複数の入力ポートの各々に接続された他の光中継装置で光レベル調整が実施されている波長の情報を前記複数の入力ポートの各々に接続された前記他の光中継装置の各々から取得し、取得した情報に基づいて前記設定情報を生成して保持することを特徴とする請求項２に記載の光中継装置。
【請求項８】
波長単位での経路切り替えおよび波長ごとの光レベル調整が可能であり、各ポートを透過させる波長、帯域および透過率を設定変更中は新規設定受付不可状態となる波長選択スイッチの制御方法であって、
前記波長選択スイッチから出力される各波長の光レベルが変動したか否かを波長ごとに判定する光レベル変動判定ステップと、
前記波長選択スイッチから出力される光信号の各波長の光レベル調整が他の光中継装置で実施中か否かを波長ごとに示す設定情報と、前記光レベル変動判定ステップにおける判定結果とに基づいて、光レベル調整が必要か否かを波長ごとに判定する調整実施判定ステップと、
前記調整実施判定ステップで光レベル調整が必要と判定した波長の光レベル調整量を決定するレベル調整量決定ステップと、
前記レベル調整量決定ステップで決定した光レベル調整量に基づく各波長の透過率を前記波長選択スイッチに通知して、前記波長選択スイッチが前記光信号を出力する際の光レベル調整量の設定変更を指示する指示ステップと、
を含み、
前記調整実施判定ステップでは、光レベル調整が他の光中継装置で実施中の波長を光レベル調整の対象外とする、
ことを特徴とする制御方法。
【請求項９】
請求項１から４のいずれか一つに記載の光中継装置を１台以上備えて構成されたことを特徴とする光伝送システム。
【請求項１０】
請求項５から７のいずれか一つに記載の光中継装置を２台以上備え、かつ当該２台以上の光中継装置の間で前記設定情報を送受信可能に構成されたことを特徴とする光伝送システム。
【国際調査報告】
2017109830.tif 000010
2017109830.tif 000011
2017109830.tif 000012
2017109830.tif 000013